(57)【要約】      （修正有）【課題】画像データを携帯情報端末固有のＩＤを暗号キーとして暗号化することにより第三者に画像を盗み見られないようにし、可視画像を形成する画像形成システムを提供する。【解決手段】画像形成システムで画像形成する際、利用者が所有する携帯情報端末を画像形成システムに装着し、携帯情報端末のＩＤを読み取らせる。画像形成システムがネットワークから画像データを得る際、画像データを記録するサーバーに携帯情報端末のＩＤと求める画像データのＵＲＬ等画像データの特定情報を送り、サーバーは受けたＩＤをキーとし暗号化した画像データを画像形成システムに送る。画像形成システムは受けた画像データが装着された携帯情報端末の記録媒体に記録可能なら携帯情報端末の記録媒体に記録し、不可能ならば画像形成システムの記録媒体に記録する。画像形成システムは制御部で画像データを復号し画像形成部に送る。【選択図】図４
2006054744.tif 000002
【特許請求の範囲】
【請求項１】
可視画像を電子データに変換する画像読み取り手段と、
前記画像読み取り手段により読み込まれた画像データをハードディスク等の記録媒体へ一時記録するための画像データ記録手段と、
前記画像記録手段により一時記録された画像データに基づく可視像を被記録媒体上に形成する画像形成手段と、
携帯情報端末と通信路を介して接続可能であり前記通信路を介し前記携帯情報端末固有のＩＤを取得できる手段と、
ネットワーク上のサーバーと通信可能な手段を有することを特徴とする画像形成システム。
【請求項２】
請求項１に記載する画像形成システムにおいて、前記ネットワーク上のサーバーに記録された画像データを前記画像形成システムによって、前記画像データに基づく可視像を被記録媒体上に形成する場合には、前記画像形成システムは可視画像を形成しようとする画像データを特定する信号と、前記通信路を介して獲得した前記携帯情報端末固有のＩＤを、前記ネットワーク上のサーバーに送信し、前記画像データを特定する信号と前記携帯情報端末固有のＩＤを受信した前記ネットワーク上のサーバーは、前記画像データを特定する信号によって指定された画像データを前記携帯情報端末固有のＩＤを暗号キーとして暗号化し、その暗号化した画像データを前記画像形成システムに送信することを特徴とする画像形成システム。
【請求項３】
請求項２において前記画像形成システムに送信された、前記携帯情報端末固有のＩＤを暗号キーとして暗号化された画像データはそのサイズを前記画像形成システムの制御部において前記携帯情報端末の有する記録媒体のサイズと比較され、前記携帯情報端末が有する記録媒体のサイズ以下の場合には、前記携帯情報端末が有する記録媒体に記録され、逆に、前記画像データのサイズのほうがより大きい場合には、前記画像形成システムの記録媒体に記録されることを特徴とする画像形成システム。
【請求項４】
請求項１に記載する画像形成システムにおいて、前記画像読み込み手段によって読み込まれた画像データは、前記通信路を介して読み込まれた前記携帯情報端末固有のＩＤを暗号キーとして暗号化され、暗号化された画像データのサイズは前記携帯情報端末の有する記録媒体のサイズと比較され、前記携帯情報端末が有する記録媒体のサイズ以下の場合には、前記携帯情報端末が有する記録媒体に記録され、逆に、前記画像データのサイズのほうがより大きい場合には、画像形成システムの記録媒体に記録されることを特徴とする画像形成システム。
【請求項５】
請求項２または３において記録媒体に記録された前記携帯情報端末固有のＩＤを暗号キーとして暗号化された画像データは、前記画像形成システムの制御部によって、前記通信路を介して取得した前記携帯情報端末固有のＩＤを暗号キーとして復号され、画像形成部に送信され非記録媒体上に可視の画像が形成されることを特徴とする画像形成システム。
【請求項６】
画像データ以外の電子データにも適用可能であることを特徴とする請求項２記載の画像形成システム。
【発明の詳細な説明】
【技術分野】
【０００１】
本発明は、画像データを記録媒体に一時記録し、記録された画像データに基づき非記録媒体上に可視の画像を形成する画像形成システムに関するものである。
【背景技術】
【０００２】
画像データを記録媒体に一時記録し、その画像データをもとに可視画像を形成する画像形成システムが知られており、コンビニエンスストア等不特定多数の人が利用できる場所に設置されており、その画像形成システムを利用してネットワーク上のサーバーに記録された画像データを印刷するサービス等が知られている（特許文献１参照）。
【特許文献１】特開２００２−１４０１８１号公報
【発明の開示】
【発明が解決しようとする課題】
【０００３】
ネットワーク上のサーバーに記録された機密情報をネットワーク経由でコンビニ等不特定多数の人間が操作可能な場所に設置された画像形成システムで印刷しようとした場合、機密情報の画像データをネットワーク上で盗み見られてしまうと機密情報を盗み見られてしまう。そこで、機密情報の画像データをもし盗み見られても解読できないように暗号化してからネットワークに送信することが望まれる。また、記録媒体に一時記録し、記録したデータに基づき非記録媒体に可視の画像を形成する場合において、画像データは画像形成システム内部の記録媒体に一時的に記録されると、画像データが画像形成システムに残ってしまう可能性を否定できない。そのため、不特定多数の人間が使用する画像形成システムで機密情報を印刷することは機密情報が盗まれる危険を伴う。
【０００４】
本発明は、以上の点に着目して成されたもので、画像データを携帯情報端末固有のＩＤを暗号キーとして暗号化することにより第三者に画像を盗み見られないようにし、可視画像を形成する画像形成システムを提供することを目的とする。
【課題を解決するための手段】
【０００５】
利用者が画像形成システムで画像を形成する際に利用者が所有する携帯情報端末を画像形成システムに装着し、画像形成システムは装着された携帯情報端末固有のＩＤを読み取る。画像形成システムがネットワーク経由で画像データを取得する際には画像データを記録しているサーバーに対して携帯情報端末固有のＩＤと要求する画像データのＵＲＬ等画像データを特定する情報を送り、サーバーは送られてきたＩＤを暗号キーとして暗号化した画像データを画像形成システムに送信する。画像形成システムは受信した画像データが装着された携帯情報端末内の記録媒体に記録可能なら携帯情報端末内の記録媒体に記録する、不可能ならば画像形成システムの記録媒体に記録する。画像形成システムは画像を形成する際に制御部で画像データを復号し画像形成部に送信する。
【０００６】
本発明の技術内容は以下の構成を備えることにより前記課題を解決できた。
【０００７】
（１）可視画像を電子データに変換する画像読み取り手段と、
前記画像読み取り手段により読み込まれた画像データをハードディスク等の記録媒体へ一時記録するための画像データ記録手段と、
前記画像記録手段により一時記録された画像データに基づく可視像を被記録媒体上に形成する画像形成手段と、
携帯情報端末と通信路を介して接続可能であり前記通信路を介し前記携帯情報端末固有のＩＤを取得できる手段と、
ネットワーク上のサーバーと通信可能な手段を有することを特徴とする画像形成システム。
【発明の効果】
【０００８】
ネットワークを経由する画像データは前記携帯情報端末固有のＩＤを暗号キーとして暗号化されているため、もし画像データを盗まれても画像を形成するには前記情報携帯端末固有のＩＤが必要なため前記携帯情報端末がないと可視の画像を形成するこができず機密を守ることができる。また、画像データが携帯情報端末の有する記録媒体に記録できたならば不特定多数の人間が利用する画像形成システムに画像データを残さないので機密を守ることができる。携帯情報端末の記録媒体の容量不足によりやむなく画像形成システムの記録媒体に画像データを記録した場合においても、画像形成システムの記録媒体に記録される画像データは前記携帯情報端末固有のＩＤを暗号キーとして暗号化されているため、ユーザーが携帯情報端末を取り外してしまえば画像形成システムは暗号化された画像データを復号化することができないので機密を守ることが可能である。
【発明を実施するための最良の形態】
【０００９】
以下本発明を実施するための最良の形態を、実施例により詳しく説明する。
【実施例】
【００１０】
図１に本発明が提案する画像形成システムの構成ブロック図を示す。
【００１１】
画像データはサーバー１１または画像読み取り部１２から制御部１３に送信され、制御部１３は受信した画像データを携帯情報端末１８が有する記録媒体または画像形成システムの記録媒体１６に記録する。記録媒体にまとまった画像データが記録されると制御部１３は画像形成部１４に画像データを送信する。画像形成部１４は受信した画像データをもとに可視画像を非記録媒体上に形成する。携帯情報端末１８を図１，２に示すように操作部１５に通信路１７を介して接続することにより携帯情報端末１８と制御部１３の間でデータを送受信することが可能となる。
【００１２】
サーバー１１に記録された画像データを携帯情報端末の記録媒体または画像形成システムの記録媒体にネットワーク経由で記録する場合のフローチャートを図４に、データの流れを図３に示す。利用者がネットワークに接続されたサーバーに記録された画像データを画像形成システムによって非記録媒体に可視画像を形成しようとする場合には、利用者はまず利用者個人の所有する携帯情報端末１８を通信路１７を介して操作部１５に接続する（Ｓ１０１）。
【００１３】
制御部１３は携帯情報端末１８が接続されたことを認識すると通信路１７，操作部１５を介して携帯情報端末固有のＩＤを取得する（Ｓ１０２）。利用者は希望する画像データを記録したサーバーのアドレスや希望する画像のＵＲＬなどの、希望する画像データを指定するための情報を携帯情報端末１８または画像形成システムの操作部１５を使用して入力し、制御部１３は取得した携帯情報端末固有のＩＤと画像データを指定するための情報をサーバー１１に送信する（Ｓ１０３）。携帯情報端末固有のＩＤと画像データを指定する情報を受信した画像データを記録したサーバー１１は、携帯情報端末固有のＩＤと指定された画像データのアクセス権を参照する（Ｓ１０４）。ここで、アクセス権とは特定の画像データに対してどの携帯情報端末固有のＩＤを有する要求ならば、要求に応じて特定の画像データを送信するかをあらかじめ取り決めたものである。ここで、アクセスＯＫならばサーバー１１は受信した携帯情報端末固有のＩＤを暗号キーとして指定された画像データを暗号化し制御部１３に送信する（Ｓ１０５，Ｓ１０６）。Ｓ１０６でサーバーから送信された画像データを受信した制御部１３は受信した画像データが携帯情報端末の記録媒体に記録可能かどうかを判定する（Ｓ１０７）。もしそれが可能ならば、制御部１３は受信した画像データを携帯情報端末の記録媒体に記録する（Ｓ１０８）。それが不可能ならば画像形成システムの記録媒体に記録する（Ｓ１０９）。Ｓ１０４においてアクセスがサーバー１１によって拒否された場合には、サーバー１１は制御部１３に対して、要求された画像データの送信を拒否することを伝える（Ｓ１１０）。要求した画像データの送信をサーバー１１に拒否された制御部１３はＳ１０２において利用者が入力した要求が拒否されたことを携帯情報端末または画像形成システムの操作部に表示する（Ｓ１１１）。
【００１４】
携帯情報端末１８または画像形成システムの記録媒体１６に記録された、暗号化された画像データをもとに画像形成部１４で可視画像を形成するためのフローチャートを図５にそのときのデータの流れを図６に示す。利用者はまず利用者個人の所有する携帯情報端末１８を通信路１７を介して操作部１５に接続する（Ｓ２０１）。制御部１３は携帯情報端末１８が接続されたことを認識すると通信路１７，操作部１５を介して携帯情報端末固有のＩＤを取得する（Ｓ２０２）。
【００１５】
すると制御部は携帯情報端末１８の記録媒体または画像形成システムの記録媒体１６から、Ｓ１０８またはＳ１０９で記録されたデータを読み込む（Ｓ２０３）。ここで、もし携帯情報端末が画像形成システムに接続されていなければ、たとえＳ１０９で記録された画像データが画像形成システムの記録媒体に存在したとしても制御部１３はその画像データを読み込まず操作部１５または携帯情報端末にエラーメッセージを表示する。制御部１３はＳ２０２で取得したＩＤを暗号キーとしてＳ２０３で読み込んだデータを復号化する（Ｓ２０４）。そして制御部１３は復号化した画像データを画像形成部１４に送信し（Ｓ２０５）、その画像データをもとに画像形成部は可視画像を形成する（Ｓ２０６）。ここで、Ｓ２０６で可視画像を形成した場合にＳ１０２で制御部１３が携帯情報端末１８から取得した携帯情報端末固有のＩＤとＳ２０２で制御部１３が携帯情報端末１８から取得した携帯情報端末固有のＩＤが同じならば正しい可視画像が形成されるが、異なっていれば暗号化された画像データを正しく復号化することができず、でたらめな可視画像が形成される。このことにより、もしＳ１０９で画像データを画像形成システムの記録媒体に記録したとしても利用者が所有の携帯情報端末を画像形成システムから取り外してしまえば画像形成システムは正しい可視画像を形成することはできない。またＳ１０８で画像データを携帯情報端末の記録媒体に記録した場合には利用者が所有の携帯情報端末を画像形成システムから取り外してしまえば画像形成システムに画像データはまったく残らない。
【００１６】
利用者が画像形成システムを利用して手持ちの原稿を複製する場合のフローチャートを図７にそのときのデータの流れを図８に示す。図７において図４と同一符号の工程は同一の工程である。したがってＳ３０１，Ｓ３０２のみについて説明する。利用者は手持ちの原稿を画像形成システムの画像読み取り部１２を使用し画像データを作成する（Ｓ３０１）。画像読み取り部１２で作成した画像データを制御部１３はＳ１０２で取得した携帯情報端末固有のＩＤを暗号キーとして暗号化する（Ｓ３０２）。可視画像を形成する方法は図５に示すフローチャートと同一である。
【００１７】
利用者は画像データに限らず電子データを画像形成システムを利用しネットワークをかいしてサーバーから携帯情報端末に取得することが可能であり、その場合のフローチャートを図９にそのときのデータの流れを図１０に示す。図９において図４と同一符号の工程は同一の工程である。画像データをダウンロードする場合との違いは、制御部１３が受信した暗号化されたデータを復号化し（Ｓ４０１）、それから携帯情報端末の記録媒体に記録することである。
【図面の簡単な説明】
【００１８】
【図１】本発明の実施の形態に係わる画像形成システムの構成を示す図である。
【図２】携帯情報端末を画像形成システムに装着するイメージ図である。
【図３】画像形成システムがネットワーク上のサーバーから画像データを取得する場合のデータの流れを示す図である。
【図４】画像形成システムがネットワーク上のサーバーから画像データを取得する場合のフローチャートを示す図である。
【図５】画像形成システムが可視画像を形成する場合のフローチャートを示す図である。
【図６】画像形成システムが可視画像を形成する場合のデータの流れを示す図である。
【図７】画像形成システムが可視画像から画像データを作成する場合のフローチャートを示す図である。
【図８】画像形成システムが可視画像から画像データを作成する場合のデータの流れを示す図である。
【図９】画像形成システムがネットワーク上のサーバーから電子データを取得する場合のフローチャートを示す図である。
【図１０】画像形成システムがネットワーク上のサーバーから電子データを取得する場合のデータの流れを示す図である。
【符号の説明】
【００１９】
１１  サーバー
１２  画像読み取り部
１３  制御部
１４  画像形成部
１５  操作部
１６  記録媒体
１７  通信路
１８  携帯情報端末
【図１】
2006054744.tif 000003
【図２】
2006054744.tif 000004
【図３】
2006054744.tif 000005
【図４】
2006054744.tif 000006
【図５】
2006054744.tif 000007
【図６】
2006054744.tif 000008
【図７】
2006054744.tif 000009
【図８】
2006054744.tif 000010
【図９】
2006054744.tif 000011
【図１０】
2006054744.tif 000012